(57)【要約】【課題】従来、ねじ軸の有効径を測定する際には、専用の測定具を製作する必要があって、測定具の製作が煩雑になるとともに高コスト化したり、測定装置が大掛かりとなるため、加工機に装着された状態のねじ軸の有効径を加工途中に測定することは困難であったりした。【解決手段】被測定物となるねじ部材３を複数本のピン部材５・５・・・にて挟み込んだ状態で、前記ねじ部材３の有効径を測定するときに、複数本のピン部材５・５・・・を保持するためのねじ有効径測定用保持治具１であって、ねじ部材３を収容する収容部１５と、収容部１５に収容されたねじ部材と交差するように収容部１５を貫通する複数のピン部材５・５・・・が挿入される挿入孔１２ａ・１３ａおよび挿入溝１２ｂ・１３ｂとを備える。【選択図】  図５
2010101700.tif 000002
【特許請求の範囲】
【請求項１】
被測定物となるねじ部材を複数本のピン部材にて挟み込んだ状態で、前記ねじ部材の有効径を測定するときに、前記複数本のピン部材を保持するためのねじ有効径測定用保持治具であって、
前記ねじ部材を収容する収容部と、
前記収容部に収容されたねじ部材と交差するように前記収容部を貫通する複数のピン部材が挿入される挿入部とを備える、
ことを特徴とするねじ有効径測定用保持治具。
【請求項２】
前記収容部は、収容されるねじ部材の一側に位置するベース部材と、前記ベース部材の両側端部から立設する側壁部材とで囲まれる空間にて構成され、
前記挿入部は、前記各側壁部材にそれぞれ形成される挿入孔また挿入溝にて構成される、
ことを特徴とする請求項１に記載のねじ有効径測定用保持治具。
【請求項３】
前記挿入部は、各側壁部材における、前記収容部に収容されたねじ部材よりもベース部材側に位置する一側の挿入孔または挿入溝、および前記収容部に収容されたねじ部材よりも反ベース部材側に位置する他側の挿入孔または挿入溝を有する、
ことを特徴とする請求項２に記載のねじ有効径測定用保持治具。
【請求項４】
前記各側壁部材には、前記一側の挿入孔または挿入溝、および他側の挿入孔または挿入溝の何れか一方が一つ形成され、前記一側の挿入孔または挿入溝、および他側の挿入孔または挿入溝の何れか他方が二つ形成されている、
ことを特徴とする請求項３に記載のねじ有効径測定用保持治具。
【発明の詳細な説明】
【技術分野】
【０００１】
本発明は、被測定物となるねじ部材を複数本のピン部材にて挟み込んだ状態で、前記ねじ部材の有効径を測定するときに、前記複数本のピン部材を保持するためのねじ有効径測定用保持治具に関する。
【背景技術】
【０００２】
従来から、ねじやねじ歯車などのねじ部材の有効径を測定する方法として、３針法が知られている。３針法は、被測定物となるねじ部材のねじ溝に対して、一側から１本のピン部材を当接させるとともに、前記一側と対向する他側から２本のピン部材を当接させた状態で、マイクロメータなどの測定具によりねじ部材の有効径を測定するものである。
【０００３】
具体的には、例えば図１４、図１５に示すように、ねじ部材１０３の有効径を測定する場合は、リング１０７により一セットに纏められている紐部材１０６・１０６・・・に吊り下げられた３本のピン部材１０５・１０５・・・をねじ部材１０３のねじ溝１０３ａに当接させる。３本のピン部材１０５・１０５・・・のうち、１本のピン部材１０５はねじ部材１０３の一側に配置され、２本のピン部材１０５・１０５はねじ部材１０３の他側に配置されていて、各ピン部材１０５・１０５・・・は、３本のピン部材１０５・１０５・・・の軸中心を結んだ形状が二等辺三角形となるように、ねじ溝１０３ａに当接される。つまり、ねじ部材１０３の他側に配置される２本のピン部材１０５・１０５は、互いに隣接するねじ溝１０３ａ・１０３ａに当接しており、一側に配置されるピン部材１０５は、ねじ部材１０３の軸方向における他側の２本のピン部材１０５とピン部材１０５との間に位置するねじ溝１０３ａに当接している。
【０００４】
このように、一側の１本のピン部材１０５と、他側の２本のピン部材１０５・１０５とを、ねじ部材１０３を挟み込むようにして当接させた状態で、前記マイクロメータなどの測定具の測定端子１０８ａ・１０８ａにより、一側の１本のピン部材１０５および他側の２本のピン部材１０５・１０５を外側から挟み込むことにより、ねじ部材１０３の有効径を測定するようにしている。
また、３針法を用いたねじ部材の有効径の測定は、特許文献１に開示されている。
【０００５】
前述のように３針法を用いてねじ部材の有効径を測定する場合、前記ピン部材１０５・１０５・・・は測定者の手で押さえてねじ部材１０３に当接させていたので、測定作業が煩雑で作業効率が低かった。また、ピン部材１０５・１０５・・・をねじ部材１０３に当接させるときには、各ピン部材１０５・１０５・・・をねじ溝１０３ａの角度に倣わせながら押さえる必要があるので、ピン部材１０５・１０５・・・をねじ溝１０３ａに対して正確に位置合わせすることが困難であり、測定精度があまり高くなかった。
【０００６】
従って、このような問題を解決するために、次のような構成が考案されている。
例えば、特許文献２には、マイクロメータのアンビルとスピンドルに設けられたオーバーピン保持体と、前記オーバーピン保持体に形成されたオーバーピン保持孔と、前記各オーバーピン保持体を前記アンビルおよびスピンドルの基部側へ常に付勢するためのばね部材と、前記各オーバーピン保持孔に設けられ前記アンビルまたはスピンドルの端部と当接するオーパーピンとを備えたオーパーピン測定装置が開示されている。
このように構成されるオーパーピン測定装置においては、前記オーバーピン間に被測定物である歯車を装着してスピンドルをアンビル側に前進させることによって、各オーバーピンを人手で持つことなく歯車の各歯部内に確実に挿入することが可能となっている。
【０００７】
また、特許文献３には、ボールねじのねじ軸の外周面に形成された螺旋状のボール転動溝の有効径を測定する装置であって、測定者が把持する固定ハンドルを備えて片手で携帯可能な装置本体と、上記固定ハンドルを把持した片手で同時に操作することが可能な移動ハンドルと、上記装置本体から平行に突出すると共に上記移動ハンドルの操作に伴って互いに拡開する一対の挟持脚と、これら挟持脚をその間隔が狭まる方向へ付勢する弾性部材と、各挟持脚に少なくとも一つ設けられると共に一対の挟持脚の間隔が狭まった際に上記ねじ軸のボール転動溝内に押しつけられる測定子と、一方の挟持脚に具備された測定子と他方の挟持脚に具備された測定子との間隔を表示する表示器（マイクロゲージ）とから構成され、前記一対の挟持脚によりねじ軸を挟持することにより、簡単にねじ軸の有効径を測定することができる、ねじ軸の有効径測定装置が開示されている。
【０００８】
さらに、特許文献４には、定盤状で長溝を備えた本体ベースと、前記長溝内に摺動可能に挿着されたアダプタと、前記本体ベースを貫通し先端が前記アダプタの一端側に回転自在に係合された棒状の送りねじと、前記本体ベースの外側部に取り付けられかつ前記送りねじに螺合されるとともに開閉機構を備えた送りねじ固定具と、前記本体ベース上の前記長溝の上端面取り付けられたガイド枠と、それぞれ径の異なる複数個のねじ穴で前記本体ベースの長溝終端側およびアダプタ上面に穿設されそれぞれオーバーピンが選択的に取り付けられるオーバーピン取付穴とからなる歯車のオーバーピン径測定用治具が開示されている。
このオーバーピン径測定用治具においては、測定する歯車の歯形に応じたオーバーピンを前記本体ベースおよびアダプタのオーバーピン取付穴に固定して、測定する歯車を本体ベースにセットしてオーバーピンに当接させ、当接させたオーバーピンの間をマイクロメータにより測定するように構成されている。
【特許文献１】実開平２−１３５８０４号公報
【特許文献２】特開昭６４−４３７０１号公報
【特許文献３】特開２００２−２０６９０２号公報
【特許文献４】実開昭６０−９２１０２号公報
【発明の開示】
【発明が解決しようとする課題】
【０００９】
前述のように、有効径を測定する対象となる被測定物としては、車両のエンジンにおける吸気バルブのバルブリフト量を連続的に変化させて、流入する空気の量を調量するための動弁機構に用いられ、モータからの回転運動を直線運動に変換するための部品となるねじ軸がある。
このようなねじ軸は高精度に加工されることが要求されるため、前記ねじ軸を加工する際には、加工途中に加工機に装着された状態でねじ軸の有効径を測定して、所望の加工精度を満足しているか否かを確認し、所望の加工精度を満足していないときには再度加工を行う、といったことが行われている。
つまり、前記ねじ軸の有効径を加工途中で測定する場合、加工途中のねじ軸を加工機から取り外したうえで測定を行い、再度加工機に取り付けて加工を施す、といったことを行うと、ねじ軸を再度加工機に取り付けた際に、取り外す前のねじ軸の位相と再度取り付けたねじ軸の位相とを完全に一致させることは困難であり、ねじ軸の加工完了時に所望の加工精度を確保することができないため、加工途中のねじ軸の有効径を測定する際には、加工機に装着された状態で測定を行う必要がある。
【００１０】
また、前述のようなねじ軸は、汎用ではない特殊な規格のねじであったり、多品種少量生産される製品であったりする場合が多いため、特定の仕様のねじ軸に合わせた測定具では仕様毎に専用の測定具を製作する必要があり、測定具の製作が煩雑になるとともに高コスト化するといった問題がある。
従って、このようなねじ軸の有効径を測定する際には、他の寸法測定などにも用いることができる汎用的なマイクロメータなど測定具を用いることができれば好ましい。
【００１１】
しかし、前述の特許文献２に記載される測定装置は、装置の構成が複雑であるとともに、有効径を測定する測定具となるマイクロメータにオーバーピン保持体などを装着して構成されているため、前記マイクロメータが歯車のオーパーピン測定専用となるため好ましくない。
また、前述の特許文献３に記載される測定装置は、装置の構成が複雑であるとともに、有効径を測定する測定具である表示器が、ねじ軸を挟持する挟持脚からオフセットされた位置にあるため（表示器の測定子と挟持脚とが同軸上にないため）、有効径を高精度で測定することが困難である。また、測定装置が大掛かりとなるため、加工機に装着された状態のねじ軸の有効径を加工途中に測定することは困難である。
さらに、前述の特許文献４に記載される測定装置は、装置の構成が複雑で大掛かりであるため、加工機に装着された状態のねじ軸の有効径を加工途中に測定することが困難である。
【００１２】
そこで、本発明においては、簡単な構成であるとともに、汎用の測定具を用いて、加工機に装着された状態のねじ軸の有効径を加工途中に測定することを可能とするねじ有効径測定用保持治具を提供するものである。
【課題を解決するための手段】
【００１３】
上記課題を解決するねじ有効径測定用保持治具は、以下の特徴を有する。
即ち、請求項１記載のごとく、被測定物となるねじ部材を複数本のピン部材にて挟み込んだ状態で、前記ねじ部材の有効径を測定するときに、前記複数本のピン部材を保持するためのねじ有効径測定用保持治具であって、前記ねじ部材を収容する収容部と、前記収容部に収容されたねじ部材と交差するように前記収容部を貫通する複数のピン部材が挿入される挿入部とを備える。
【００１４】
また、請求項２記載のごとく、前記収容部は、収容されるねじ部材の一側に位置するベース部材と、前記ベース部材の両側端部から立設する側壁部材とで囲まれる空間にて構成され、前記挿入部は、前記各側壁部材にそれぞれ形成される挿入孔また挿入溝にて構成される。
【００１５】
また、請求項３記載のごとく、前記挿入部は、各側壁部材における、前記収容部に収容されたねじ部材よりもベース部材側に位置する一側の挿入孔または挿入溝、および前記収容部に収容されたねじ部材よりも反ベース部材側に位置する他側の挿入孔または挿入溝を有する。
【００１６】
また、請求項４記載のごとく、前記各側壁部材には、前記一側の挿入孔または挿入溝、および他側の挿入孔または挿入溝の何れか一方が一つ形成され、前記一側の挿入孔または挿入溝、および他側の挿入孔または挿入溝の何れか他方が二つ形成されている。
【発明の効果】
【００１７】
本発明によれば、複数本のピン部材を挿入部に挿入して保持することでねじ部材に当接することができ、前記ピン部材を作業者が手で押さえて保持する必要がなく、測定具による有効径の測定作業を簡便にすることができ、測定作業効率を向上することができるとともに、加工機に装着された状態のねじ部材の有効径を加工途中に容易に測定することが可能となっている。
また、ピン部材を、ねじ溝の傾斜角度に沿ってねじ部材に当接させることができるので、ピン部材のねじ溝に対する位置合わせを安定させて、ねじ部材の有効径の測定精度を向上することができる。
さらに、ねじ部材の有効径を、ねじ有効径測定用保持治具を用いて測定する際には、汎用の測定具をそのまま使用することができるため、少量多品種の製品を製造する際にも低コストおよび短時間でねじ部材の有効径の測定を行うことができる。
【発明を実施するための最良の形態】
【００１８】
次に、本発明を実施するための形態を、添付の図面を用いて説明する。
【００１９】
図１〜図３に示すねじ有効径測定用保持治具１は、略円柱形状に形成される基台２０と、前記基台２０の上面に連結配置される本体１０とで構成されている。
前記本体１０は、平板状に形成され、その下面が前記基台２０の上面に連結されているベース部材１１と、前記ベース部材１１の両側端部から立設する一対の側壁部材１２・１３とを有している。
前記一対の側壁部材１２・１３は、互いに所定の間隔を設けて略平行に配置されており、それぞれ前記ベース部材１１に対して同じ方向へ略垂直に立設されている。
【００２０】
前記ねじ有効径測定用保持治具１においては、前記ベース部材１１および前記側壁部材１２・１３にて囲まれた空間を、有効径の測定対象となるねじ部材３を収容するための収容部１５に構成している。
つまり、前記収容部１５は、図２における下方を前記ベース部材１１により、左右両側方を前記側壁部材１２・１３により囲まれた空間であり、各側壁部材１２・１３の間には、少なくとも測定対象となるねじ部材３の外径寸法以上の間隔が設けられており、前記各側壁部材１２・１３の高さ寸法（各側壁部材１２・１３におけるベース部材１１の板面と略直交する方向の寸法）は、少なくとも測定対象となるねじ部材３の外径寸法以上の寸法に形成されている。前記収容部１５の上方（各側壁部材１２・１３の立設方向におけるベース部材１１側とは反対側の方向）は開放されている。
【００２１】
また、前記収納部１５においては、前記ねじ部材３は、前記ベース部材１１および側壁部材１２・１３の面方向に沿って収容される。つまり、前記ねじ部材３は、その外周面が前記ベース部材１１および側壁部材１２・１３の各面と対向するように、前記収納部１５に収納される。
【００２２】
前記側壁部材１２・１３の下部（側壁部材１２・１３におけるベース部材１１に近い部分）にはそれぞれ挿入孔１２ａ・１３ａが形成されており、前記側壁部材１２・１３の上部（側壁部材１２・１３における前記下部よりもベース部材１１から離れている部分）にはそれぞれ挿入溝１２ｂ・１３ｂが形成されている。
【００２３】
前記挿入孔１２ａ・１３ａは略円形状に形成されており、前記挿入孔１２ａ・１３ａの内径は、ねじ部材３の有効径を測定するときに用いられるピン部材５の外径よりも大きく形成され、前記挿入孔１２ａ・１３ａは前記ピン部材５を摺動自在に挿入可能なように構成されている。
また、前記挿入孔１２ａ・１３ａは、一本のピン部材５を挿入孔１２ａと挿入孔１３ａとに同時に挿入することが可能な位置に形成されており、前記挿入孔１２ａおよび挿入孔１３ａにともに挿入されるピン部材５は、前記収容部１５を貫通することとなる。
なお、本例では前記挿入孔１２ａ・１３ａは略円形状に形成されているが、例えば横長（側壁部材１２・１３の立設方向と直交する方向）の長円形状に形成することも可能であり、前記ピン部材５が摺動自在に挿入可能な形状および大きさに形成されていればよい。
【００２４】
前記挿入溝１２ｂ・１３ｂは、長円形状の一部を開口した形状に形成されている。
本例では、前記挿入溝１２ｂ・１３ｂは、横長（側壁部材１２・１３の立設方向と直交する方向）に形成された長円形状の上辺（側壁部材１２・１３におけるベース部材１１側とは反対側の辺）の略中央部を上方に開口した開口部１２ｃ・１３ｃを有している。
前記挿入溝１２ｂ・１３ｂの長円形状部分における円弧の直径は、前記ピン部材５の外径よりも大きく形成されており、前記挿入溝１２ｂ・１３ｂの長円形状部分は前記ピン部材５を摺動自在に挿入可能なように構成されている。また、前記挿入溝１２ｂ・１３ｂの長円形状部分は、複数本のピン部材５を挿入することが可能なように構成されている。
さらに、前記挿入溝１２ｂ・１３ｂは、一本のピン部材５を挿入溝１２ｂと挿入溝１３ｂとに同時に挿入することが可能な位置に形成されており、前記挿入溝１２ｂおよび挿入溝１３ｂにともに挿入されるピン部材５は、前記収容部１５を貫通することとなる。
【００２５】
また、前記挿入孔１２ａ・１３ａに挿入され前記収容部１５を貫通するピン部材５、および前記挿入溝１２ｂ・１３ｂに挿入され前記収容部１５を貫通するピン部材５は、前記収容部１５に収容されるねじ部材３と平面視において交差する。
また、挿入部を構成する前記挿入孔１２ａ・１３ａと挿入溝１２ｂ・１３ｂとは、側壁部材１２・１３の立設方向に所定の間隔を隔てて形成されている。
【００２６】
つまり、前記挿入孔１２ａ・１３ａと挿入溝１２ｂ・１３ｂとは、前記ねじ部材３の外径寸法と略同程度の寸法だけ離間して配置されており、前記挿入孔１２ａ・１３ａに挿入されたピン部材５は、前記収容部１５に収納されたねじ部材３の下方を通過し、前記挿入溝１２ｂ・１３ｂに挿入されたピン部材５は、前記収容部１５に収納されたねじ部材３の上方を通過することが可能となっている。
さらに、前記挿入孔１２ａ・１３ａに挿入され、前記収容部１５に収納されたねじ部材３の下方を通過するピン部材５、および、前記挿入溝１２ｂ・１３ｂに挿入され、前記収容部１５に収納されたねじ部材３の上方を通過するピン部材５は、互いにねじ部材３を挟んだ対向位置において、該ねじ部材３のねじ溝３ａにそれぞれ当接可能となっている。
【００２７】
また、前記本体１０のベース部材１１および前記基台２０には、前記収容部１５と外部とを連通する測定具挿通孔１１ａ・２０ａがそれぞれ形成されている。
前記測定具挿通孔１１ａ・２０ａは、同径に形成されるとともに同軸上に配置されており、ねじ部材３の有効径を測定するための測定具８の測定端子８ａ（図１０参照）を、前記測定具挿通孔１１ａ・２０ａを通じて収容部１５内に挿入可能となっている。
【００２８】
次に、以上のように構成されるねじ有効径測定用保持治具１を用いて、ねじ部材３の有効径を３針法により測定する場合の測定手順について説明する。
なお、本説明にて測定対象となるねじ部材３は、加工途中のねじ部材３であって、加工機に装着され位置固定された状態のねじ部材３としている。
まず、図４に示すように、測定対象となるねじ部材３に対してねじ有効径測定用保持治具１の収納部１５を下方から嵌挿し、該収納部１５にねじ部材３を収納する。
【００２９】
図５に示すように、収納部１５にねじ部材３を収納した後、前記挿入孔１２ａ・１３ａに１本のピン部材５を挿入するとともに、前記挿入溝１２ｂ・１３ｂに２本のピン部材５・５を挿入する。
この場合、挿入孔１２ａ・１３ａへのピン部材５の挿入は、例えばまずピン部材５を側壁部材１２の挿入孔１２ａへ挿入し、次に収納部１５におけるねじ部材３の下方の空間を通過させ、さらに側壁部材１３の挿入孔１３ａに挿入することで行う。
また、挿入溝１２ｂ・１３ｂへのピン部材５・５の挿入は、例えばまずピン部材５・５を側壁部材１２の挿入溝１２ｂへ挿入し、次に収納部１５におけるねじ部材３の上方の空間を通過させ、さらに側壁部材１３の挿入溝１３ｂに挿入することで行う。
【００３０】
なお、図６に示すように、挿入溝１２ｂ・１３ｂへのピン部材５・５の挿入は、各ピン部材５・５を、本体１０の上方から挿入溝１２ｂ・１３ｂの開口部１２ｃ・１３ｃを通じて、挿入溝１２ｂ・１３ｂに順次挿入することで行うこともできる。
このように、各ピン部材５・５を開口部１２ｃ・１３ｃを通じて、挿入溝１２ｂ・１３ｂに挿入することで、該ピン部材５・５の挿入溝１２ｂ・１３ｂへの挿入を簡便にすることが可能となる。
【００３１】
図７〜図９に示すように、挿入孔１２ａ・１３ａおよび挿入溝１２ｂ・１３ｂへ挿入したピン部材５・５・・・は、それぞれねじ部材３のねじ溝３ａに当接することが可能となっている。
すなわち、挿入孔１２ａ・１３ａに挿入され収納部１５を貫通するピン部材５は、ねじ有効径測定用保持治具１を上方へ押圧することで、挿入孔１２ａ・１３ａの内周面により支持されるとともに、ねじ部材３における下側のねじ溝３ａに当接する。
この場合、挿入孔１２ａ・１３ａに挿入されたピン部材５は下側のねじ溝３ａの傾斜角度に沿って当接する。
【００３２】
また、挿入溝１２ｂ・１３ｂに挿入され収納部１５を貫通するピン部材５・５は、自重によりねじ部材３における上側のねじ溝３ａに当接する。
この場合、挿入溝１２ｂ・１３ｂに挿入されたピン部材５・５は上側のねじ溝３ａの傾斜角度に沿って当接する。
【００３３】
このように挿入溝１２ｂ・１３ｂに挿入されるピン部材５・５は、それぞれねじ部材３の上側における隣接するねじ溝３ａに嵌合するように挿入され、挿入孔１２ａ・１３ａに挿入されるピン部材５は、ねじ部材３の下側における、挿入溝１２ｂ・１３ｂに挿入されるピン部材５・５の中間位置に位置するねじ溝３ａに嵌合するように挿入される。
【００３４】
また、前記挿入孔１２ａ・１３ａ、および挿入溝１２ｂ・１３ｂにおける長円形状部分の径、および挿入孔１２ａ・１３ａと挿入溝１２ｂ・１３ｂとの間隔は、挿入孔１２ａ・１３ａに挿入されたピン部材５および挿入溝１２ｂ・１３ｂに挿入されたピン部材５・５が、ともにねじ部材３のねじ溝３ａに当接することができるとともに、挿入孔１２ａ・１３ａに挿入されたピン部材５および挿入溝１２ｂ・１３ｂに挿入されたピン部材５・５が、互いに挿入孔１２ａ・１３ａ内、および挿入溝１２ｂ・１３ｂにおける長円形状部分内で最も離れる箇所に位置した場合でも、挿入孔１２ａ・１３ａに挿入されたピン部材５と挿入溝１２ｂ・１３ｂに挿入されたピン部材５・５との間隔が、ねじ部材３の最大外径を超えないような大きさに設定されている。
つまり、ねじ部材３を収納部１５内に収納した状態で、前記挿入孔１２ａ・１３ａおよび挿入溝１２ｂ・１３ｂに挿入され、ねじ溝３ａに嵌合した状態のピン部材５・５・・・は、ねじ部材３のねじ山を越えて移動することがなく、挿入孔１２ａ・１３ａおよび挿入溝１２ｂ・１３ｂに挿入された当初の所望の位置に留まることとなる。
【００３５】
前述のごとくピン部材５・５・・・を挿入孔１２ａ・１３ａおよび挿入溝１２ｂ・１３ｂに挿入し、収納部１５内に収納されたねじ部材３のねじ溝３ａに嵌合した状態とした後は、図１０〜図１２に示すように、一対の測定端子８ａ・８ａを有する測定具８を用いてねじ部材３の有効径の測定を行う。
【００３６】
具体的には、前記測定具８の一方の測定端子８ａを、前記測定具挿通孔１１ａ・２０ａを通じて収容部１５内に挿入し、前記挿入孔１２ａ・１３ａに挿入され収容部１５を貫通しているピン部材５に当接させるとともに、他方の測定端子８ａを、開放されている収容部１５の上方から収納部１５内に挿入し、前記挿入溝１２ｂ・１３ｂに挿入され収容部１５を貫通しているピン部材５・５に当接させて、前記一対の測定端子８ａ・８ａにより挿入孔１２ａ・１３ａに挿入されるピン部材５および挿入溝１２ｂ・１３ｂに挿入されるピン部材５・５を外側から挟持することにより、挿入孔１２ａ・１３ａ側のピン部材５と挿入溝１２ｂ・１３ｂ側のピン部材５・５との間隔を測定する。
そして、このように測定したピン部材５の間隔、前記ピン部材５の径、ならびに前記ねじ部材３のねじピッチおよびねじ山の角度に基づき、次の数１によりねじ部材３の有効径を算出する。
【００３７】
【数１】
2010101700.tif 000003
【００３８】
このように、ねじ有効径測定用保持治具１を用いて、ねじ部材３の有効径を３針法により測定することが可能であるが、３本のピン部材５・５・・・をねじ部材３に当接する際には、該ピン部材５・５・・・を挿入孔１２ａ・１３ａおよび挿入溝１２ｂ・１３ｂに挿入してねじ有効径測定用保持治具１により保持することでねじ部材３に当接することができ、前記ピン部材５・５・・・を作業者が手で押さえて保持する必要がなく、測定具８の測定端子８ａ・８ａにより前記ピン部材５・５・・・を挟持しての有効径の測定作業を簡便にすることができ、測定作業効率を向上することができる。
また、ねじ有効径測定用保持治具１は、ねじ部材３を収納する収納部１５と、ピン部材５・５・・・を挿入する挿入部とで構成され、簡単かつ小型な治具に構成することができるので、加工機に装着された状態のねじ部材３の有効径を加工途中に容易に測定することが可能となっている。
【００３９】
また、挿入孔１２ａ・１３ａに挿入されたピン部材５、および挿入溝１２ｂ・１３ｂに挿入されたピン部材５・５は、ねじ溝３ａの傾斜角度に沿ってねじ部材３に当接するので、ピン部材５・５・・・のねじ溝に対する位置合わせを安定させることができ、ねじ部材３の有効径の測定精度を向上することができる。
さらに、ねじ部材３の有効径を、ねじ有効径測定用保持治具１を用いて測定する際には、有効径を測定するための測定具８に特別な加工等を行う必要がなく、汎用の測定具をそのまま使用することができるため、少量多品種の製品を製造する際にも低コストおよび短時間でねじ部材３の有効径の測定を行うことができる。
【００４０】
また、本例のねじ有効径測定用保持治具１においては、側壁部材１２・１３の上部に複数本のピン部材５・５を挿入するための挿入溝１２ｂ・１３ｂを形成しているが、この挿入溝１２ｂ・１３ｂを挿入孔に構成することもできる。
つまり、図１３に示すように、ねじ有効径測定用保持治具５１を、平板状に形成されるベース部材６１と、ベース部材６１の両側端部から立設する一対の側壁部材６２・６３とで構成し、前記ベース部材６１および側壁部材６２・６３にて囲まれた空間を、有効径の測定対象となるねじ部材３を収容するための収容部６５として構成するとともに、前記側壁部材６２・６３の下部および上部に、それぞれピン部材５およびピン部材５・５を挿入するための挿入孔６２ａ・６３ａおよび挿入孔６２ｂ・６３ｂを形成することもできる。
【００４１】
このように、側壁部材６２・６３に挿入孔６２ａ・６３ａおよび挿入孔６２ｂ・６３ｂを形成した場合も、前述の有効径測定用保持治具１の場合と同様に、ピン部材５・５・・・をねじ有効径測定用保持治具５１により保持してねじ部材３に当接させることができ、加工機に装着された状態のねじ部材３であっても、その有効径を加工途中に容易に測定することが可能であり、測定作業効率を向上することができる。
【図面の簡単な説明】
【００４２】
【図１】ねじ有効径測定用保持治具を示す側面図である。
【図２】ねじ有効径測定用保持治具を示す正面図である。
【図３】ねじ有効径測定用保持治具を示す平面図である。
【図４】ねじ有効径測定用保持治具の収容部にねじ部材を収容する様子を示す斜視図である。
【図５】収納部にねじ部材を収納した状態で、挿入孔および挿入溝にピン部材を挿入する様子を示す斜視図である。
【図６】挿入溝へのピン部材の挿入が、ピン部材を、本体の上方から挿入溝の開口部を通じて、挿入溝に挿入することで行われる様子を示す斜視図である。
【図７】挿入孔および挿入溝に挿入したピン部材がねじ部材のねじ溝に当接している状態を示す側面図である。
【図８】挿入孔および挿入溝に挿入したピン部材がねじ部材のねじ溝に当接している状態を示す正面断面図である。
【図９】挿入孔および挿入溝に挿入したピン部材がねじ部材のねじ溝に当接している状態を示す平面図である。
【図１０】ねじ有効径測定用保持治具を用いて測定具によりねじ部材の有効径を測定する様子を示す斜視図である。
【図１１】ねじ有効径測定用保持治具を用いて測定具によりねじ部材の有効径を測定する様子を示す側面図である。
【図１２】ねじ有効径測定用保持治具を用いて測定具によりねじ部材の有効径を測定する様子を示す正面断面図である。
【図１３】ねじ有効径測定用保持治具の別実施例を示す斜視図である。
【図１４】従来の３針法を用いたねじ部材の有効径の測定の様子を示す斜視図である。
【図１５】従来の３針法を用いたねじ部材の有効径の測定の様子を示す側面図である。
【符号の説明】
【００４３】
１    ねじ有効径測定用保持治具
３    ねじ部材
５    ピン部材
１０    本体
１１    ベース部材
１１ａ  測定具挿通孔
１２・１３  側壁部材
１２ａ・１３ａ  挿入孔
１２ｂ・１３ｂ  挿入溝
１５    収容部
２０    基台
【図１】
2010101700.tif 000004
【図２】
2010101700.tif 000005
【図３】
2010101700.tif 000006
【図４】
2010101700.tif 000007
【図５】
2010101700.tif 000008
【図６】
2010101700.tif 000009
【図７】
2010101700.tif 000010
【図８】
2010101700.tif 000011
【図９】
2010101700.tif 000012
【図１０】
2010101700.tif 000013
【図１１】
2010101700.tif 000014
【図１２】
2010101700.tif 000015
【図１３】
2010101700.tif 000016
【図１４】
2010101700.tif 000017
【図１５】
2010101700.tif 000018